(57)【要約】【課題】穀稈に損傷を与えることを防止するものでありながら、刈取り作業時に倒伏した穀稈を未刈り側に確実に転向することができる分草体を備えたコンバインを提供する。【解決手段】コンバインには、前処理部３の左側方に配置されたナローガイド２１とナローガイド２１に接続されたガイド板２５１とを有する分草ガイド体２０１が備えられている。ガイド板２５１は、下端部２６１でナローガイド２１に接続され、刈取り作業時に倒伏した穀稈を左方側へ案内する傾斜案内面２７１を有する板状の部材である。傾斜案内面２７１は、前方部分が略々垂直な面となり、後方部分が下部に対して上部を突出させた面となっており、これらの面が滑らかに接続されて形成されている。これにより、傾斜案内面２７１によって穀稈を未刈り側に滑らかに案内して、倒伏した穀稈を未刈り側に確実に転向することができる。【選択図】図４
2008167659.tif 000002
【特許請求の範囲】
【請求項１】
走行機体の前方に刈刃を有する刈取り部を昇降自在に支持し、前記刈取り部及び前記走行機体の未刈り側の側部に、分草体を作業姿勢と格納姿勢とに変更自在に配置した、コンバインにおいて、
前記分草体は、上部が下部に対して未刈り側に突出する方向に傾斜する傾斜案内面を有する板状のガイド板を備え、既刈り側に倒伏した立毛穀稈を未刈り側に案内してなる、
ことを特徴とするコンバイン。
【請求項２】
前記ガイド板は、前方部分が垂直に近い面からなり、後方部分が下部に対して上部を未刈り側に突出する傾斜角が大きくなる、
請求項１記載のコンバイン。
【発明の詳細な説明】
【技術分野】
【０００１】
本発明は、コンバインに係り、詳しくは、既刈り側に倒伏した立毛穀稈を未刈り側方向に転向する分草体を備えたコンバインに関する。
【背景技術】
【０００２】
従来、コンバインには、走行機体の前方に昇降自在に支持され、刈刃を有する刈取り部を備え、該刈取り部及び走行機体の未刈り側の側部に、作業姿勢と格納姿勢とに変更自在に配置された分草体を備えたものがある。このようなコンバインには、パイプ状の部材によって形成され、長さの短い穀稈を分草して機体側に倒れることを防止する短稈ガイドと、長さの長い穀稈を分草して機体側に倒れることを防止し、該短稈ガイドよりも横方向に張り出して配置された長稈ガイドとを有する分草体を備えており、倒伏した穀稈を未刈り側に案内するように構成されたものが提案されている（特許文献１参照）。
【０００３】
【特許文献１】特開２００１−３３３６２１号公報
【発明の開示】
【発明が解決しようとする課題】
【０００４】
しかし、このような分草体においては、倒伏した穀稈の未刈り側への転向させる力が弱く、刈取り作業を行うコンバインが通過した既刈り側へ再び倒伏してしまう。この状態でコンバインが刈取り作業を行う際に、立毛穀稈の株元にデバイダを整合する条合わせを行う場合、上記既刈り側へ再び倒伏した穀稈により、既刈り側の株元が隠されてしまい（図７（ａ）参照）、条合わせが困難となり、操作者がコンバインから降りて株元を確認しなければならないという問題があった。
【０００５】
ところで、コンバインによる刈取り作業を行う穀稈は、品種や成育状態などによって様々な長さのものがある。そのため、刈取り作業時において、上記のような分草体により分草された穀稈は、その穀稈の長さによって上記長稈ガイドと短稈ガイドとの間から穀稈が機体側に入り込んでしまい、穀稈に損傷を与えてしまう虞があった。
【０００６】
そこで本発明は、穀稈に損傷を与えることを防止するものでありながら、刈取り作業時に倒伏した穀稈を未刈り側に確実に転向することができる分草体を備えたコンバインを提供することを目的とする。
【課題を解決するための手段】
【０００７】
請求項１に係る本発明は、走行機体（２）の前方に刈刃を有する刈取り部（３）を昇降自在に支持し、前記刈取り部（３）及び前記走行機体（２）の未刈り側の側部に、分草体（２０１）、（２０２）、（２０３）を作業姿勢と格納姿勢とに変更自在に配置した、コンバイン（１）において、
前記分草体（２０１）、（２０２）、（２０３）は、上部が下部に対して未刈り側に突出する方向に傾斜する傾斜案内面（２７１）、（２７２）、（２７３）を有する板状のガイド板（２５１）、（２５２）、（２５３）を備え、既刈り側に倒伏した立毛穀稈を未刈り側に案内してなる、
ことを特徴とするコンバイン（１）にある。
【０００８】
請求項２に係る本発明は、前記ガイド板（２５１）、（２５２）、（２５３）は、前方部分が垂直に近い面からなり、後方部分が下部に対して上部を未刈り側に突出する傾斜角が大きくなる、
請求項１記載のコンバイン（１）にある。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
請求項１に係る本発明によると、分草体は、上部が下部に対して未刈り側に突出する方向に傾斜する傾斜案内面を有する板状のガイド板を備え、既刈り側に倒伏した立毛穀稈を未刈り側に案内するように構成されているので、板状のガイド板によって穀稈が機体側に入り込むことを防止できると共に、傾斜案内面によって穀稈を未刈り側に滑らかに案内して、穀稈に損傷を与えることを防止するものでありながら、刈取り作業時に倒伏した穀稈を未刈り側に確実に転向することができる。これにより、未刈り側の穀稈が既刈り側の株元を隠してしまうことを防止するので、操作者がコンバインを降りて確認することなく作業を続行することができ、作業効率を向上させることができる。
【００１１】
請求項２に係る本発明によると、ガイド板は、前方部分が垂直に近い面からなり、後方部分が下部に対して上部を未刈り側に突出する傾斜角が大きくなるように構成されているので、穀稈を徐々に転向して、穀稈に与える損傷を少なくすることができる。
【発明を実施するための最良の形態】
【００１２】
＜第１の実施の形態＞
以下、本発明に係る第１の実施の形態を図１乃至図６に沿って説明する。
【００１３】
コンバイン１は、図１に示すように、進行方向左右のクローラ走行装置１０に支持された走行機体２に、茎稈を刈取る前処理部（刈取り部）３と、刈取った茎稈を脱穀し、脱穀された穀粒を選別する脱穀部４と、選別された穀粒を貯留するグレンタンク５と、グレンタンク５内の穀粒を機外へ搬出するオーガ６と、脱穀済みの排稈を機外後端部まで搬送する排藁搬送部（図示せず）と、座席８などが設けられる運転部９とを備えて構成される。
【００１４】
上記前処理部３は、穀稈を分草する多数のデバイダ１５，１６，１７を有しており、該デバイダ１５，１６，１７は、機体前方に延びる分草体支持フレーム１１にそれぞれ取付けられている。該分草体支持フレーム１１は、詳しくは後述する分草ガイド体（分草体）２０のナローガイド２１，２９が左右両側に取付けられており、該分草体支持フレーム１１の後方側は、前処理部３の下方側で機体左右方向に延設された横フレーム（図示せず）に固定されている。なお、機体右側に配置されたナローガイド２９は、中割り作業の際に右側の穀稈を転向させるものである。また、デバイダ１５，１６，１７の後方には、分草された穀稈を引起す引起し装置１８，１９が前方から後方に向けて上昇する傾斜状に設けられている。さらに、前処理部３は、その作動基端側を、走行機体２の前方斜め下方に向けて延出する伝動ケース（図示せず）に接続されている。該伝動ケースは、その中間部に連結された図示を省略している油圧シリンダの伸縮に基づき昇降可能に前処理部３を支持している。
【００１５】
上記デバイダ１５，１６，１７の後方には、地面に近接して穀稈の株元を切断する刈刃（図示せず）が設けられ、この刈刃により切断された穀稈が、掻込み搬送装置３０（図２参照）によって略々直立状態で掻込まれて、搬送装置（図示せず）によって後方に搬送されるように構成されている。そして、該搬送装置によって搬送された穀稈は、脱穀フィードチェーン１３によって脱穀部４に搬送されるように構成されている。
【００１６】
脱穀部４は、走行機体２の左側の後方部分に配置され、扱胴（図示せず）と該扱胴に沿うように配置された受網５０（図６参照）とを内装する扱室（図示せず）と、処理胴を内装する処理室（図示せず）と、扱室に沿って茎稈を搬送する脱穀フィードチェーン１３と、脱穀された穀粒を選別する選別装置を備えた選別室（図示せず）などを備えて構成されている。
【００１７】
グレンタンク５は、走行機体２の右側の後方部分に配置され、中空状に形成された容器となっており、上記脱穀部４において選別された穀粒が揚上搬送されて一時的に貯留される。また、該グレンタンク５の底部には、螺旋搬送体（図示せず）が内装されており、該螺旋搬送体の駆動によってタンク内の穀粒がオーガ６に送り出されるようになっている。
【００１８】
オーガ６は、グレンタンク５に連結される縦パイプ６ａと、縦パイプ６ａの上端部に旋回及び昇降自在に連結される横パイプ６ｂとを備えている。これらのパイプ６ａ，６ｂには、螺旋搬送体（図示せず）が内装され、その駆動によって横パイプ６ｂの先端排出口６ｃまで穀粒が搬送されるように構成されている。
【００１９】
運転部９は、走行機体２の右側の前方部分に配置され、座席８のほか、計器類を備えた計器パネルや各種の操作レバー及び操作スイッチなどが配置されている。
【００２０】
ところで、上述したような脱穀部４に備えられる受網５０において、従来のコンバインでは、受網のピッチは一定となっており、材料の状態が極端に異なる場合には、ピッチの異なる受網（例えば濡れ材用網など）を準備する必要があった。このため、ピッチの異なる受網を用いない場合は、気象条件などにより選別性能が悪くなるという問題があり、また、ピッチの異なる受網を用いた場合にあっても、受網の交換作業をしなくてはならず作業効率を低下させるという問題があった。
【００２１】
そこで、コンバイン１の脱穀部４は、受網のピッチを可変式のものとしている。受網５０は、図６（ａ）に示すように、Ｌ字状のフレーム５１，５１の間に、円板状の部材の一部分からなる複数の支持プレート５２を固着し、上記扱胴と沿うように、全体として円筒形の一部となるように形成されており、この円筒形状のものに軸方向（フレーム５１の長手方向）と平行に多数の固定硬鋼線５３を等間隔に配設する。該固定硬鋼線５３は、図６（ｂ）に示すように、それぞれに回動プレート５６によって該固定硬鋼線５３と平行に配置された可動硬鋼線５５と接続されている。
【００２２】
また、これら固定硬鋼線５３及び可動硬鋼線５５によって受網の目を形成しており、固定硬鋼線５３が１段目の受網、可動硬鋼線５５が２段目の受網となっている。さらに、該可動硬鋼線５５は、図６（ｃ）、（ｄ）に示すように、支持プレート５２に形成されたガイド孔５８に嵌合しており、該ガイド孔５８に案内され得る範囲内で可動するようになっている。つまり、該可動硬鋼線５５は、回動プレート５６の作用により、固定硬鋼線５３を支点として該ガイド孔５８に案内され得る範囲において、回動自在となっている。また、多数の該可動硬鋼線５５は、図６（ｂ）に示すように、それぞれ連結プレート５７に接続され、連結されており、該可動硬鋼線５５は全てが一様の動きをするように構成されている。
【００２３】
以上のように構成された受網５０は、図６（ｃ）に示すように、固定硬鋼線５３及び可動硬鋼線５５が径方向視で重なる場合には、受網としての目が粗くなり、図６（ｄ）に示すように、固定硬鋼線５３及び可動硬鋼線５５が径方向視で重ならない場合には、受網としての目が細かくなるように調整することができる。これにより、受網５０は、材料の状態に簡単な操作によって適応することができ、選別性能を向上させることができる。また、受網５０交換作業を省くことができ、作業効率の向上を図ることができる。
【００２４】
次に、本第１の実施の形態の要部である分草ガイド体２０１について説明する。分草ガイド体２０１は、上記前処理部３の左側方に配置されたナローガイド２１と該ナローガイド２１に接続されたガイド板２５１によって構成されている。
【００２５】
ナローガイド２１には、図２ないし図５に示すように、先端部２１ａが、回動可能となるように、分草体支持フレーム１１に対して取付けられており、後端部２１ｂ付近において支持部材２２を介して、前処理支持フレーム（図示せず）に対して取付けられたブラケット２３に取付けられている。該支持部材２２は、その基端部をブラケット２３の回動軸２３ａを支点として回動可能に接続されており、先端部が、ナローガイド２１に着脱自在に、かつナローガイド２１に沿うように設けられた連結ロッド２４に摺動可能に接続されている。これにより、ナローガイド２１が、格納姿勢（図４中実線にて示す位置）と作業姿勢（図４中２点鎖線にて示す位置）とが切り換わった際にも支持部材２２が該ナローガイド２１の回動を許容しながら支持するように構成されている。
【００２６】
また、ナローガイド２１の後端部２１ｂには、補助分草杆４１の先端部がフレキシブルに接続されており、該補助分草杆４１の後端部は、図示を省略した機体フレームに出し入れ可能に取付けられたステップにスライド移動可能に支持されている。そして、ナローガイド２１の姿勢切換動作及び、該ステップの出し入れ動作を許容しながら補助分草杆４１が連動する構成となっている。
【００２７】
上記ガイド板２５１は、下端部２６１でナローガイド２１に接続され、刈取り作業時に倒伏した穀稈を左方側へ案内する傾斜案内面２７１を有する板状の部材である。該傾斜案内面２７１は、前方部分が略々垂直な面となり、後方部分が下部に対して上部を突出させた面となっており、これらの面が滑らかに接続されて形成されている。なお、ガイド板２５１は、上述のようにナローガイド２１と一体的に固定されており、該ナローガイド２１が格納姿勢と作業姿勢を切り換える際には、該ガイド板２５１も一体に移動する。
【００２８】
次に、本第１の実施の形態に係るコンバイン１の作用について説明する。
【００２９】
コンバイン１は、分草ガイド体２０１を格納姿勢から作業姿勢に変更し、刈取り作業を開始する。該コンバイン１は、デバイダ１５，１６，１７によって穀稈を株元から分草し、引起し装置１８，１９によって穀稈を引起し、刈刃によって穀稈を刈取る。刈取られた穀稈は、掻込み搬送装置３０によって掻込まれ、搬送装置によって後方に搬送されて脱穀フィードチェーン１３に引継がれる。該脱穀フィードチェーン１３に引継がれた穀稈は、上記脱穀部４へ搬送され、脱穀される。脱穀され、選別装置により選別された穀粒は、揚上搬送されてグレンタンク５に貯留される。
【００３０】
このとき、図７（ａ）に示すように、コンバイン１の左側にあって、右向きに倒伏した穀稈、つまりコンバイン１の正面側に倒伏してきた穀稈は、デバイダ１７により株元より分草され、コンバイン１が前進するにしたがってデバイダ１７の形状に沿って引き起こされると共に、ナローガイド２１によってコンバイン１から離れる方向、つまり左方側へと案内される。その後、穀稈は、ガイド板２５１の形状に沿って左方側に滑らかに案内されながら、ガイド板２５１の傾斜案内面２７１の上部の形状に沿って左方側へ倒される。なお、倒伏した穀稈の角度などの倒伏状態によっては、左方側だけではなく前方側に倒されることもある。
【００３１】
これにより、図７（ｂ）に示すように、コンバイン１の正面側に左方側、つまり未刈り側から倒伏してきた穀稈は、ガイド板２５１の傾斜案内面２７１に案内されることにより、左方側若しくは前方側に倒され、既刈り側となった株元を隠すことがなくなり、この未刈り側の穀稈の刈取り作業を行う際に、立毛穀稈の株元にデバイダを整合する条合わせを困難にすることがない。
【００３２】
また、ガイド板２５１は板状の部材によって形成されているため、上述のような上下２本のパイプ状の部材によって分草ガイド体を形成するものに比して、穀稈がパイプ状の部材の間から機体側に倒れ込むことがない。さらに、ガイド板２５１は、傾斜案内面２７１の形状を後方部分が下部に対して上部を未刈り側（左方側）に突出する傾斜角が徐々に大きくなるように滑らかに形成しており、既刈り側に倒伏した立毛穀稈を押し上げ、そして反対方向に転向するように、徐々にその姿勢が変更するように案内する。
【００３３】
以上のように本発明に係るコンバイン１によると、分草ガイド体２０１は、上部が下部に対して未刈り側に突出する方向に傾斜する傾斜案内面２７１を有する板状のガイド板２５１を備え、既刈り側に倒伏した立毛穀稈を未刈り側に案内するように構成されているので、板状のガイド板２５１によって穀稈が機体側に入り込むことを防止できると共に、傾斜案内面２７１によって穀稈を未刈り側に滑らかに案内して、穀稈に損傷を与えることを防止するものでありながら、刈取り作業時に倒伏した穀稈を未刈り側に確実に転向することができる。これにより、未刈り側の穀稈が既刈り側の株元を隠してしまうことを防止するので、操作者がコンバイン１を降りて確認することなく作業を続行することができ、作業効率を向上させることができる。
【００３４】
また、ガイド板２５１は、前方部分が垂直に近い面からなり、後方部分が下部に対して上部を未刈り側に突出する傾斜角が大きくなるように構成されているので、穀稈を徐々に転向して、穀稈に与える損傷を少なくすることができる。
【００３５】
＜第２の実施の形態＞
次に、本発明の第２の実施の形態を図８に沿って説明する。図８は第２の実施の形態に係る前処理部３を示す斜視図である。なお、本第２の実施の形態においては、一部の変更を除き、第１の実施の形態と同様な部分に、同符号を付して、その説明を省略する。
【００３６】
本第２の実施の形態に係るコンバイン１は、第１の実施の形態に比して、ガイド板２５１をガイド板２５２に変更したものである。該ガイド板２５２は、下端部２６２でナローガイド２１に接続され、刈取り作業時に倒伏した穀稈を左方側へ案内する傾斜案内面２７２を有する板状の部材であり、傾斜案内面２７２の裏面側には、ガイド板２５２を補強する補強部材２８が配置されている。また、傾斜案内面２７２の形状を第１の実施の形態の傾斜案内面２７１よりもシンプルなものにしている。
【００３７】
なお、本第２の実施の形態においては、この他の構成、作用、及び効果は第１の実施の形態と同様であるので説明を省略する。
【００３８】
＜第３の実施の形態＞
次に、本発明の第３の実施の形態を図９に沿って説明する。図９は第３の実施の形態に係る前処理部３を示す正面図である。なお、本第３の実施の形態においては、一部の変更を除き、第１の実施の形態と同様な部分に、同符号を付して、その説明を省略する。
【００３９】
本第３の実施の形態に係るコンバイン１は、第１の実施の形態に比して、ガイド板２５１をガイド板２５３に変更したものである。該ガイド板２５３は、下端部２６ａ３でナローガイド２１に接続された前側ガイド板２５ａ３と、下端部２６ｂ３でナローガイド２１に接続された中側ガイド板２５ｂ３と、下端部２６ｃ３でナローガイド２１に接続された後側ガイド板２５ｃ３とによって構成されている。
【００４０】
また、分草ガイド体２０３が作業姿勢とされた際には、前側ガイド板２５ａ３、中側ガイド板２５ｂ３、及び後側ガイド板２５ｃ３のそれぞれの傾斜案内面２７ａ３，２７ｂ３，２７ｃ３によって、第１の実施の形態の傾斜案内面２７１と同様な傾斜案内面を形成する。さらに、中側ガイド板２５ｂ３と後側ガイド板２５ｃ３とは、図９に示すように、ナローガイド２１との接続部を回動支点として走行機体２側に回動させることが可能となっており、例えば倒伏していない通常の穀稈を刈取る場合などに、中側ガイド板２５ｂ３と後側ガイド板２５ｃ３とを走行機体２側に回動させておき、穀稈を倒さないように刈取り作業を行うことが可能となっている。
【００４１】
なお、本第３の実施の形態においては、この他の構成、作用、及び効果は第１の実施の形態と同様であるので説明を省略する。
【００４２】
なお、第１及び第２の実施の形態に係るガイド板２５１，２５２は、作業姿勢と格納姿勢との切り換えの際に、ナローガイド２１と一体に動くように説明したが、例えば該ガイド板２５１，２５２の下端部とナローガイド２１とを回動自在に接続し、傾斜案内面２７１，２７２の裏面側に取手部を設けるなどして、ガイド板２５１，２５２のみが回動するように構成しても、本発明を適用することができる。また、第３の実施の形態に係る中側ガイド板２５ｂ３及び後側ガイド板２５ｃ３についても、傾斜案内面２７ｂ３，２７ｃ３の裏面側に取手部を設けるなどしても、同様に本発明を適用することができる。
【図面の簡単な説明】
【００４３】
【図１】第１の実施の形態に係るコンバインを示す斜視図。
【図２】第１の実施の形態に係る前処理部を示す正面図。
【図３】第１の実施の形態に係る前処理部を示す側面図。
【図４】第１の実施の形態に係る前処理部を示す平面図。
【図５】第１の実施の形態に係る前処理部を示す斜視図。
【図６】受網を示す図で、（ａ）は斜視図、（ｂ）は回動プレート部分の拡大図、（ｃ）は目の粗い状態とした際のガイド孔部分の拡大図、（ｄ）は目の細かい状態とした際のガイド孔部分の拡大図。
【図７】穀稈が倒伏した圃場を示す説明図で、（ａ）は倒伏穀稈が株元を隠す際の模式図、（ｂ）は本発明に係るコンバインにより刈取り作業を行う際の模式図。
【図８】第２の実施の形態に係る前処理部を示す斜視図。
【図９】第３の実施の形態に係る前処理部を示す正面図。
【符号の説明】
【００４４】
１        コンバイン
２        走行機体
３        刈取り部（前処理部）
２０１，２０２，２０３    分草体（分草ガイド体）
２５１，２５２，２５３    ガイド板
２７１，２７２，２７３    傾斜案内面
【図１】
2008167659.tif 000003
【図２】
2008167659.tif 000004
【図３】
2008167659.tif 000005
【図４】
2008167659.tif 000006
【図５】
2008167659.tif 000007
【図６】
2008167659.tif 000008
【図７】
2008167659.tif 000009
【図８】
2008167659.tif 000010
【図９】
2008167659.tif 000011